(57)【要約】【課題】アンテナパッド上に接続した増幅基板によりテレビジョン信号の増幅及び利得効果を得る、内蔵式アンテナ信号利得自動制御増幅モジュールを提供する。【解決手段】内蔵式アンテナ信号利得自動制御増幅モジュールは、アンテナパッド１１、増幅基板１２及び上部カバー１３を備える。増幅基板１２は、アンテナパッド１１と接続される。増幅基板１２は、増幅モジュール及び導通モジュールを有する。増幅基板１２は、電源に接続され、信号強度を検出して前記モジュールを切換え、利得を自動的に調整するか信号を直接導通し、受信したテレビジョン信号が増幅基板１２を介して伝送される。【選択図】図２
0003211121.tif 000002
【実用新案登録請求の範囲】
【請求項１】
アンテナパッド、増幅基板及び上部カバーを備えた内蔵式アンテナ信号利得自動制御増幅モジュールであって、
前記増幅基板は、前記アンテナパッドと接続され、
前記増幅基板は、増幅モジュール及び導通モジュールを有し、
前記増幅基板は、電源に接続され、信号強度を検出して前記モジュールを切換え、利得を自動的に調整するか又は信号を直接導通し、受信したテレビジョン信号が前記増幅基板を介して伝送されることを特徴とする内蔵式アンテナ信号利得自動制御増幅モジュール。
【考案の詳細な説明】
【技術分野】
【０００１】
本考案は、内蔵式アンテナ信号増幅モジュールに関するものであり、さらに詳しくは、アンテナパッド上に接続した増幅基板によりテレビジョン信号の増幅及び利得効果を得ることが可能な内蔵式アンテナ信号利得自動制御増幅モジュールに関するものである。
【背景技術】
【０００２】
アンテナは、テレビ番組を視聴するのに必要不可欠な製品であり、ケーブルテレビ（ＣＡＴＶ）の視聴ではなく、信号を受信してテレビ番組を視聴する場合、アンテナを使用する必要がある。図１に示すように、従来の室内アンテナ構造は、回路基板４を主に含む。回路基板４は、中央部に配線領域４４が形成され、両側に受信基板４４４が設けられている。受信基板４４４及び配線領域４４の配線が回路基板４に印刷され、受信基板４４４がＵＨＦ信号を受信したり、配線領域４４を介して接続銅線４４２に接続されてＶＨＦ信号を受信することができるため、装置全体の構造が非常に簡素である。
【０００３】
しかし、室内アンテナ１の装置は、建物の構造又は他の理由により制限されて死角が生じ、受信の品質が低下することがある。特に、山奥など辺鄙な場所や受信不良地域などでは、信号受信が困難であったり、信号が弱すぎたりしてテレビの視聴品質に悪影響を与え、視聴者にとって不便となることがあった。
【考案の概要】
【考案が解決しようとする課題】
【０００４】
従って、本考案の主な課題は、受信したテレビジョン信号を円滑に増幅して自動的に調整し、番組の画面を明瞭にし、理想的なアンテナ改良構造である内蔵式アンテナ信号利得自動制御増幅モジュールを提供することにある。
【課題を解決するための手段】
【０００５】
そこで、本考案者は、前記の課題を解決するために鋭意検討を重ねた結果、アンテナボックス内に設置した増幅基板により、信号強度を検出して増大モジュール又は導通モジュールを切換えることにより、受信したテレビジョン信号を円滑に増幅して自動的に調整し、番組の画面を明瞭にできることに着目し、かかる知見に基いて本考案に想到した。
【０００６】
かくして、本考案の要旨は、次の（１）に記載の通りである。
（１）アンテナパッド、増幅基板及び上部カバーを備えた内蔵式アンテナ信号利得自動制御増幅モジュールであって、
前記増幅基板は、前記アンテナパッドと接続され、
前記増幅基板は、増幅モジュール及び導通モジュールを有し、
前記増幅基板は、電源に接続され、信号強度を検出して前記モジュールを切換え、利得を自動的に調整するか又は信号を直接導通し、受信したテレビジョン信号が前記増幅基板を介して伝送されることを特徴とする内蔵式アンテナ信号利得自動制御増幅モジュール。
【０００７】
本考案に係る内蔵式アンテナ信号利得自動制御増幅モジュールは、テレビジョン信号を増幅する増幅器であり、テレビの受信品質を高めることができ、少なくともアンテナパッド、増幅基板、上部カバー及び底部カバーから構成されてなる。増幅基板は、アンテナパッドと接続され、受信したテレビジョン信号を増幅基板へ伝送する。増幅基板は、増幅モジュール及び導通モジュールを有し、信号強度を検出して切換え、受信したテレビジョン信号を増幅基板から送信する。増幅基板内の増幅モジュールを利用してテレビジョン信号の利得増幅を調整し、高い増幅利得を得る。
【０００８】
実際の組み立てでは、アンテナパッド及び増幅基板を組み立てて底部カバー内に設置し、上部カバーを閉じた後、上部カバー上の位置決め溝に装飾プレートを挿設し、装飾プレートのフック部が底部カバーの底面に嵌合され、上部カバー及び底部カバーにより挟持され、配線を増幅器及びテレビに接続すると、受信したテレビジョン信号が増幅基板により利得効果を得てテレビへ出力し、高い受信品質が得られる。
【０００９】
実際に使用する際、アンテナは、支持フレームを利用してテレビの周囲に固定して信号を受信する。受信した信号は、未だ整流されておらず乱れており、増幅基板の増幅モジュールを介して信号を整流して利得を増幅した後、フィルタにより信号の干渉波を処理しても信号が依然として理想的でない場合、信号を増幅基板へ再循環させ、信号を整流して利得を増幅してフィルタへ伝送し、処理済みの信号をテレビへ出力する。もし受信した信号が好ましい場合、増幅基板の導通モジュールからフィルタへ伝送され、このとき信号の強度が理想的でない場合、戻して増幅基板へ伝送し、検出した信号が理想的な強度になるまで増幅利得を調整し、テレビへ出力する。
【考案の効果】
【００１０】
本考案の内蔵式アンテナ信号利得自動制御増幅モジュールは、アンテナ内に設置した増幅基板を利用し、受信したテレビジョン信号を連続的に検出して増幅し、増幅利得を調整し、理想的なテレビジョン信号を発信することができる上、構造が簡素であり、テレビジョン信号の品質が向上し、経済性が高い。
【図面の簡単な説明】
【００１１】
【図１】図１は、従来のアンテナを示す説明図である。
【図２】図２は、本考案の一実施形態に係る内蔵式アンテナ信号利得自動制御増幅モジュールを示す分解斜視図である。
【図３】図３は、本考案の一実施形態に係る内蔵式アンテナ信号利得自動制御増幅モジュールが行う信号増幅の流れ図である。
【図４】図４は、本考案の一実施形態に係る内蔵式アンテナ信号利得自動制御増幅モジュールを示す分解斜視図である。
【図５】図５は、本考案の一実施形態に係る内蔵式アンテナ信号利得自動制御増幅モジュールを示す斜視図である。
【考案を実施するための形態】
【００１２】
まず、図２を参照する。図２は、本考案の一実施形態に係る内蔵式アンテナ信号利得自動制御増幅モジュールを示す分解斜視図である。図２に示すように、本考案の一実施形態に係る内蔵式アンテナ信号利得自動制御増幅モジュールは、少なくともアンテナパッド１１、増幅基板１２、上部カバー１３及び底部カバー１４から構成されてなる。増幅基板１２は、アンテナパッド１１と接続され、テレビジョン信号が増幅基板１２へ伝送される。増幅基板１２は、増幅モジュール１２１及び導通モジュール１２２を有し（図３を参照する）、電圧により切換え、受信したテレビジョン信号を増幅基板１２から送信する。増幅基板１２内の増幅モジュール１２１によりテレビジョン信号の増幅を調整し、理想的な利得効果を得る。
【００１３】
図３及び図４を参照する。図３及び図４に示すように、実際の組み立てでは、アンテナパッド１１及び増幅基板１２を組み立てて底部カバー１４内に設置し、上部カバー１３を閉じた後、上部カバー１３上の位置決め溝１３１に装飾プレート１５を挿設し、装飾プレート１５のフック部１５１が底部カバー１４の底面に嵌合され、上部カバー１３及び底部カバー１４により挟持されると、増幅基板１２が電源１７に接続されて必要な電力が供給される。配線が増幅基板１２及びテレビに接続されると、受信したテレビジョン信号が増幅基板１２により利得効果を得て、テレビへ出力され、高い受信品質が得られる。
【００１４】
図３と併せて図５を参照する。実際に使用する際、アンテナ１は、支持フレーム１６を介してテレビの周囲に固定され、信号２０を受信する。受信した信号２０は、未だ整流されておらず乱れており、このときに増幅基板１２の増幅モジュール１２１を介して信号２０を整流して利得を増幅させた後、フィルタ１２３により信号２０の干渉波を処理した後、フィルタ１２３により処理しても信号２０が理想的でない場合、信号２０を増幅基板１２へ再循環させ、信号２０を整流して利得を増幅してフィルタ１２３へ伝送し、処理済みの信号２０をテレビへ出力する。もし受信した信号２０が好ましい場合、増幅基板１２の導通モジュール１２２がフィルタ１２３へ伝送され、信号２０の強度が理想的でない場合、増幅基板１２により変換し、信号２０が理想的な強度になるまで増幅利得を調整し、出力信号２０１をテレビへ出力する。
【符号の説明】
【００１５】
１  アンテナ
３  テレビ
４  回路基板
１１  アンテナパッド
１２  増幅基板
１３  上部カバー
１４  底部カバー
１５  装飾プレート
１６  支持フレーム
１７  電源
２０  信号
４４  配線領域
１２１  増幅モジュール
１２２  導通モジュール
１２３  フィルタ
１３１  位置決め溝
１５１  フック部
２０１  出力信号
４４２  接続銅線
４４４  受信基板 
【図１】
0003211121.tif 000003
【図２】
0003211121.tif 000004
【図３】
0003211121.tif 000005
【図４】
0003211121.tif 000006
【図５】
0003211121.tif 000007